(57)【要約】      （修正有）【課題】大型・中型貨物自動車等、自動車の仮眠室に設置利用できるすのこベッドを提供する。【解決手段】すのこベッドは、複数の木材を間に隙間ができるよう平行に配置して連結している第１の格子材２と、この第１の格子材２との間に、収納空間ができるように対向して配置してなる、複数の木材を間に隙間ができるよう平行に配置して連結している第２の格子材３と、収納空間に収納している固形状の炭２４とを有する。また、収納空間においては、第１の格子材２と第２の格子材３の内側には、通気性シート２６を配置し、さらに、通気性シート２６の内側に炭２４を収納するとともに、この炭の上に、かんなくず２７を収納して、炭２４の間詰めとする。さらに、すのこベッドを一体として形成せず、各部に分割し、貨物自動車等、自動車の仮眠室のサイズの多様性に対応するものである。【選択図】図７
0003138932.tif 000002
【実用新案登録請求の範囲】
【請求項１】
複数の木材を間に隙間ができるよう平行に配置し連結している第１の格子材（２）と前記第１の格子材（２）との間に収納空間（２３）ができるように対向して配置してなる、複数の木材を間に隙間ができるよう平行に配置して連結している第２の格子材（３）と、前記収納空間（２３）に収納している固形状の炭（２４）とを有するすのこベッドであって、前記収納空間（２３）において、第１の格子材（２）と第２の格子材（３）の内側には通気性シート（２６）を配置し、さらに、この通気性シート（２６）の内側に炭（２４）を収納するとともに、この炭（２４）の上にかんなくず（２７）を収納して間詰めとするすのこベッドであって、さらに、全体を一体として形成せず、分割した各部が一体となって機能することを特徴とするすのこベッド。
【請求項２】
請求項１に記載されるすのこベッドにおいて、前記通気性シート（２６）は、竹酢液を含浸させたものであることを特徴とするすのこベッド。
【請求項３】
請求項１又は２に記載されるすのこベッドのおいて、前記かんなくず（２７）は、電動かんなでもって削られた木屑であることを特徴とするすのこベッド。
【請求項４】
請求項１ないし３に記載されるすのこベッドにおいて、前記第１の格子材（２）及び第２の格子材（３）及び木枠（２５）は、杉の間伐材からなることを特徴とするすのこベッド。
【請求項５】
請求項１ないし４に記載されるすのこベッドにおいて、分割した各部（２９）、（３０）、（３１）が一体として機能するこを特徴とするすのこベッド。
【考案の詳細な説明】
【技術分野】
【０００１】
本考案は、大型・中型貨物自動車等、自動車の仮眠室内に設置し、仮眠室内の通気性及び脱臭性を高めるすのこベッドに関するものであって、詳しくはその仮眠室内等の除湿・脱臭を可能としたすのこベッドに関する。
【背景技術】
【０００２】
従来、すのこベッドは、主として、家屋内に設置されるベッドに敷いた布団・マット等が湿気を帯びにくくすることを目的としたものである。通常のすのこベッドは、間をすかして配列された複数の矩形状の板を裏面側から複数の支持材で固定し、この支持材の厚みによってベッドの表面が裏面から浮いた構造となり、さらには、板の隙間により通気性が確保されるため、ベッド上に敷いた布団・ベッド等の湿気対策に有効である。
【０００３】
上記の通気性確保のために、すのこベッドの部材の補強についての先行技術（例えば特許文献１）や、すのこ部材を布団干しとして利用するもの（例えば特許文献２）はあるが、すのこベッドに新たな吸湿効果や脱臭効果を付加したものや、さらには、すのこベッドを家屋の屋内ばかりでなく、他の用途に利用する案件もない。
【特許文献１】実開昭６０−８６１６４公報
【特許文献２】特開２００５−０５２６１６公報
【考案の開示】
【考案が解決しようとする課題】
【０００４】
本考案は、従来のこのような問題点を解決するためになされたものである。本考案の主な目的は、すのこベッドに炭を組込むことによって、新たな吸湿効果や脱臭効果を付するとともに、すのこベッドの型を変形可能とすることによって、大型・中型貨物自動車等の仮眠室内に配置し、炭の効用を有効に活用できるすのこベッドを提供しようとするものである。
【０００５】
上記の目的を達成するために、本考案一のすのこベッドは、複数の木材を間に隙間ができるよう平行に配置し連結している第１の格子材２と、この第１の格子材２との間に収納空間２３ができるように対向して配置してなる、複数の木材を間に隙間ができるよう平行に配置して連結している第２の格子材３と、前記収納空間２３に収納している固形状の炭２４とを有する。収納空間２３にあって、第１の格子材２と第２の格子材３の内側には通気性シート２６を配置し、さらに、通気性シート２６の内側に炭２４を収納するとともに、この炭２４の上にかんなくず２７を間詰めとして収納することで、炭の移動を防止できる。
【０００６】
また、本考案の他のすのこベッドは、通気性シート２６が竹酢液を含浸させたものであることを特徴とする。
【０００７】
さらに、本考案の他のすのこベッドは、かんなくず２７が、電動かんなでもって削られた木屑であることを特徴とする。
【０００８】
さらに、本考案の他のすのこベッドは、第１の格子材及び第２の格子材及び木枠が、杉の間伐材からなることを特徴とする。
【０００９】
さらにまた、本考案の他のすのこベッドは、全体を一体として形成せず、分割した各部が一体となって機能することを特徴とする。
【００１０】
本考案のすのこベッドは、第１の格子材と第２の格子材の間の空間に炭を収納するとともに、第１の格子材と第２の格子材の内側に通気性シートを配置し、さらに、この通気性シートの内側に炭を収納し、炭の上にかんなくずを収納することによって、内部に収納された炭の位置がずれ難く、炭の効用を有効に活用できる特徴がある。本考案のすのこベッドは、収納空間に通気性シート、かんなくず、炭、かんなくず、通気性シートの順番で収納している。炭は一層に敷詰められ、空気中の水分を効果的に吸収するとともに、脱臭も行う。炭の上に配置されるかんなくずは、電動かんなで木材を切削してできるものであって薄くスライスされて螺旋状の形状を有し、自由に変形できる柔軟性があり、炭を上から押圧して炭が定まった位置から移動することを抑止するとともに炭の破損を防止できる。また、かんなくずは、螺旋状の形状を有するため空気を自由に通過させる通気性がある。よって、かんなくずは、その下に敷詰めている炭の移動や破損を抑制するだけでなく、空気がかんなくずを自由に通過して、炭が空気中の水分を吸収し、脱臭する効果を阻害しない。この結果、すのこベッドが揺れ動いても、内部の炭はほぼ元来配置された状態を維持することが出来、炭表面の気孔による吸湿性及び脱臭性を有効に活用できる。
【００１１】
また、通気性シートに竹酢液を含浸させることによって炭の効果だけでなく、炭と竹酢液との相乗効果が得られる。具体的には、炭による吸湿効果及び脱臭効果の他、竹酢液による殺菌・抗菌効果等がえられる。
【００１２】
また、電動かんなで削られたかんなくずは、丸みを帯びた螺旋状の形状をもつ。この螺旋状のかんなくずは優れた柔軟性を実現して、炭の位置ずれをより防止するクッションの役割を果たす。この螺旋状のかんなくずが生み出す空洞により通気性を維持しつつ、安定して炭を固定できる。
【００１３】
また、通常は処分されるかんなくずを緩衝材として再利用するため、コスト削減につながる。さらに、炭の配置量の増減に応じてかんなくずの充填量を変化させるだけで、種々の大きさのすのこベッドに対応できる。
【００１４】
また、すのこベッドの材料として杉の間伐材を利用することで、間伐材の再利用が促進される。これにより、間伐されずに残った樹木の成長が促進され、健全な森林が保全される。
【００１５】
また、本考案すのこベッドは、全体を一体として形成するものではなく、各部を適宜分割し、分割した各部が一体として機能することによって、対象に応じ、種々のサイズのすのこベッドに対応できる。
【考案を実施するための最良の形態】
【００１６】
以下、本考案の実施例を図面に基づいて説明する。ただし、以下に示す実施例は、本考案の技術思想を具体化するためのすのこベッドを例示するものであって、本考案は、すのこベッドを以下のものに限定しない。この明細書は、実用新案登録請求の範囲を理解しやすいように、実施例に示される部材に対応する番号を、実用新案登録請求の範囲及び課題を解決するための手段の欄及び考案を実施するための最良の形態の欄に示される部材に付記している。ただし、実用新案登録請求の範囲に示される部材を、実施例の部材に限定するものではない。また、図において、同一の名称・符号については、同一もしくは同質の部材を示しており、詳細説明を適宜省略する。
【実施例１】
【００１７】
（構成）
実施例にかかるすのこベッドは、第１の格子材２と第２の格子材３との間に収納空間２３ができるように配置されている。第１の格子材２と第２の格子材３は、複数の板材２８
を間に隙間ができるよう平行に配置して連結しているものである。また、収納空間２３には、固形状の炭２４が収納され、この収納空間２３にあって、第１の格子材２と第２の格子材３の内側には通気性シート２６を設けている。さらに、すのこベッド１は、この通気性シート２６の内側に炭２４を収納するとともに、この炭の上に、かんなくず２７を間詰めとして敷詰めている。さらに、すのこベッド１は，分割された各部２９、３０、３１が一体として機能するよう構成されている。以下、すのこベッド１について図を用いて説明する。
【００１８】
本明細書においては、板材２８の短尺である幅方向を短尺方向とし、これと直交する方向を長尺方向とする。図１におけるように、第１の格子材を配置する面を上側とし、対向する面を下側とする。
【００１９】
図１に示すように、すのこベッド１の各部は、第１の格子材２と第２の格子材３とを収納空間ができるよう平行して配置している。第１の格子材２及び第２の格子材３は、矩形の複数の板材２８を長尺方向（図１における左右方向）に間をすかして平行に固定されたものであって矩形状あるいは台形状をなす。図に示す、すのこベッド１において、第１の格子材２及び第２の格子材３は中央部においては長方形状、左端部及び右端部においてはそれを切除した台形状の形となる。ただし、その形状及び長短の比率は特に限定されず、種々の大きさとするすのこベッドができる。
【００２０】
実施例に係る支持材は、図８に示されるように、中央部３０においては、支持材６と支持材７とが直交するよう釘５によって連結される。また、左端部２９においては、支持材９、支持材１０、支持材１１、支持材１２、支持材１３とが台形状に連結される。同様に、右端部３１においては、支持材１６、支持材１７、支持材１８、支持材１９、支持材２０が台形状に連結される。さらに、図３、図４に示すように、すのこベッド１の長尺方向における両端近辺及び央部で、各支持材お上下面と複数の板材２８とを釘４で連結することにより、第１の格子材２及び第２の格子材３が対向して固着される。
【００２１】
また、実施例に係る支持材は、図７に示すように矩形状の断面を有する。この支持材の外面上側に第１の格子材２が配置され、支持材の外面下側に第２の格子材３が配置されることによって、第１の格子材２及び第２の格子材３が空間を有したまま平行に位置される。すなわち、対向する第１の格子材２及び第２の格子材３は、支持材一の辺の厚み分だけ間隔を有して位置する。
【００２２】
また、実施例に係るすのこベッドは、分割されて、分割された各部２９、３０、３１が一体として機能するよう構成されているが、左端部２９及び右端部３１において、第１の格子材２及び第２の格子材３が支持材１３、支持材２０の外面よりも外側に突出している（図７参照）
【００２３】
以下に、実施例に係るすのこベッド１の内部構造と製造方法を説明する。図７は長尺方向から見た断面図である。また、図８〜図１１は、すのこベッド１の製造工程をしめす説明図である。
【００２４】
まず、第１の格子材２及び第２の格子材３を固定する木枠２５を製造する。図８は、矩形あるいは台形に組んだ木枠２５の斜視図である。木枠２５においては、矩形の断面を有する各支持材によって構成される。また、支持材６、支持材７、支持材９、支持材１０、支持材１１、支持材１２、支持材１３、支持材１６、支持材１７、支持材１８、支持材１９、支持材２０の上面は水平である。さらに、図８の例では、木枠２５の長辺を等分する形で、中木８、中木１４、中木１５、中木２１、中木２２を短辺とほぼ平行となるよう配置しており、これにより、木枠２５の内側領域を等分し、この内側領域を炭、かんなくず
などの収納空間２３とする。
【００２５】
図８のように、中木８、中木１４、中木１５、中木２１、中木２２を連結することで、すのこベッド１の強度が増し耐加重性が高まる。また、木枠２５の内側領域が区分されるため、これに収容される炭が一層安定して固定される。さらに、通気性シートを貼付する際に通気性シートの皺やたるみを抑制できる。
【００２６】
次に、木枠２５の下面に通気性シート２６が貼付される。通気性シート２６は、面状のものであり、布、不織布等が利用できる。また、通気性シート２６は、殺菌・抗菌作用のある液体で含浸でき、したがって、液体を保水可能な素材が望ましい。具体的な液体としては、木酢液や竹酢液が選定されるが、殺菌・抗菌等の効果がより強力とされる竹酢液が一層望ましい。竹酢液は、竹炭を焼くときに発生する煙を採取して液化したものであり、吸湿・脱臭・抗菌・ヒーリング等の効果を有する。実施例では、竹酢液に含浸させた布を採用した。
【００２７】
また、通気性シート２６は、木枠２５内に収納される炭２４やかんなくず２７が外部に逸失するのを防止する役割を果たす。よって、通気性シート２６は、木枠２５の表面に密着して装着される。通気性シート２６と木枠２５との装着手段は特に限定されず、天然系接着剤や合成系接着剤等が利用できるが、デキストリン、続飯、膠、カゼイン、大豆蛋白、ゴム糊等の天然物が好ましい。
【００２８】
さらに、図７が示すように、木枠２５の下面下側には通気性シート２６を挟み込んで第２の格子材３が装着される。実施例では、幅５５ｍｍ、厚さ１０ｍｍの板材２８を均等に隙間を設けて配置し、釘４で支持材に打ち付けて第２の格子材３とした。
【００２９】
次に、図７、図９、図１０に示すように、第２の格子材３を下面とし、さらに、木枠２５を側面とする収納空間２３にかんなくず２７を下層に、炭２４を上層となるよう敷詰める。炭は、木や竹を炭焼き窯の中ではぼ無酸素状態で焼き上げたもので、炭素の集合体となっている。これは、小さな気孔を無数に有しているため吸着性に優れ、吸湿・脱臭・空気や水の浄化等の効果を有する。このような炭としては、木炭や竹炭が利用できるが、実施例では、木炭に比しより大きな効果を有する竹炭を一層だけ敷詰めた。また、配置される炭は、炭層でなくてもよく、複層の場合は、かんなくずを間に介入させることで、炭の消音、安定が増す。
【００３０】
さらに、図７、図１０に示すように、炭２４の上にかんなくず２７を積層させる。かんなくず２７は、間伐材を製材する際にかんなで薄く削ってできる薄い木片であり、その形状は様々である。また、木材を削る際に使用するかんなも特に限定されず、被削面の寸法や形状に応じて、電動型あるいは手動型の種々のものが採用できる。
【００３１】
かんなくずが炭の収納空間にほぼ充填されることで、余りのスペースは埋められる。これによって、かんなくず自体の弾力性とかんなくず相互間に生じた空気層で、すのこベッドに加わる衝撃や振動を吸収できる。つまり、かんなくずは緩衝材として機能するが、それだけでなく、炭の移動をも抑止できる。図１０に示すように、実施例では、電動かんなで削られた丸みを帯びたかんなくず２７を積層することにより、かんなくず自体のみならず、かんなくず相互間の空気層を利用して、いっそうクッション性が増し、通気性も保たれる。
【００３２】
さらに、木枠２５の上面に炭２４及びかんなくず２７を覆うように通気性シート２６を装着する。これにより、かんなくず２７が収納空間２３の間詰めの役割を果たし、炭２４の移動が限定される。木枠２５の上面に装着される通気性シート２６は、木枠２５の下面
に装着されたのと同様のものが利用できる。
【００３３】
次に、図１、図７に示すように、木枠２５の上面に、通気性シート２６を挟み込むように幅５５ｍｍ、厚さ１０ｍｍの複数の板材２８を均等に隙間を設けて配置し、釘４で支持材に打ち付けて連結することによりすのこベッドとなる。
【００３４】
さらに、本考案では、図１、図２、図３、図４に示すように、すのこベッド１は、全体を一体として形成せず、各部分２９、３０，３１に分割した。実施例においては、３分割した各部２９、３０、３１が一体となってすのこベッド１を構成するが、個々の部分の寸法は固定されておらず、対象物の大きさの変化に対応できるよう構成している。
【産業上の利用可能性】
【００３５】
本考案のすのこベッドは、大型・中型貨物自動車等、自動車の仮眠室床部に設置され、仮眠室内及びこれに収納される収納物の除湿・脱臭・除菌等が可能なベッドとして利用できる。
【図面の簡単な説明】
【００３６】
【図１】実施例に係るすのこベッドの斜視図である。
【図２】実施例に係るすのこベッドの斜視図である。
【図３】実施例に係るすのこベッドの平面図である。
【図４】実施例に係るすのこベッドの底面図である。
【図５】実施例に係るすのこベッドの側面図である。
【図６】実施例に係るすのこベッドの側面図である。
【図７】実施例に係るすのこベッドの断面図である。
【図８】実施例に係るすのこベッドの一製造工程である。
【図９】実施例に係るすのこベッドの一製造工程である。
【図１０】実施例に係るすのこベッドの一製造工程である。
【図１１】実施例に係るすのこベッドの一製造工程である。
【図１２】実施例に係るかんなくずの斜視図である。
【符号の説明】
【００３７】
１…すのこベッド
２…第１の格子材
３…第２の格子材
４…釘
５…ねじ釘
６…支持材
７…支持材
８…中木
９…支持材
１０…支持材
１１…支持材
１２…支持材
１３…支持材
１４…中木
１５…中木
１６…支持材
１７…支持材
１８…支持材
１９…支持材
２０…支持材
２１…中木
２２…中木
２３…収納空間
２４…炭
２５…木枠
２６…通気性シート
２７…かんなくず
２８…板材（杉板材）
２９…すのこベッド構成部分（左端部）
３０…すのこベッド構成部分（中央部）
３１…すのこベッド構成部分（右端部）
【図１】
0003138932.tif 000003
【図２】
0003138932.tif 000004
【図３】
0003138932.tif 000005
【図４】
0003138932.tif 000006
【図５】
0003138932.tif 000007
【図６】
0003138932.tif 000008
【図７】
0003138932.tif 000009
【図８】
0003138932.tif 000010
【図９】
0003138932.tif 000011
【図１０】
0003138932.tif 000012
【図１１】
0003138932.tif 000013
【図１２】
0003138932.tif 000014